(57)【特許請求の範囲】
【請求項１】
モバイル機器から予め設定された着信番号への発信を感知し、
前記モバイル機器の発信番号を感知し、
前記着信番号への発信が感知されれば直ぐに、前記発信番号により特定された前記モバイル機器にアプリケーションをダウンロードするためのメッセージを送信し、前記メッセージに対するユーザジェスチャに応答し前記アプリケーションが格納されたアプリケーションサーバから前記モバイル機器に前記アプリケーションをダウンロードすること
を含み、
前記発信が感知されたときは回線が接続される前であることを特徴とするアプリケーションをダウンロードする方法。
【請求項２】
モバイル機器から予め設定された着信番号への発信を感知し、
前記モバイル機器の発信番号を感知し、
前記着信番号への発信が感知されれば直ぐに、前記発信番号により特定された前記モバイル機器にアプリケーションをダウンロードするためのメッセージを送信し、前記メッセージに対するユーザジェスチャに応答し前記アプリケーションが格納されたアプリケーションサーバから前記モバイル機器に前記アプリケーションをダウンロードすること
を含み、
前記発信が感知されたときは回線が接続される前であり、
前記着信番号に複数のアプリケーションがマッチングされていたり、特定のアプリケーションがマッチングされていない場合には、ダウンロードが可能なアプリケーションのリストをユーザに提供し、前記ユーザからダウンロードするアプリケーションの選択を受けることを特徴とするアプリケーションをダウンロードする方法。
【請求項３】
前記モバイル機器にアプリケーションをダウンロードするためのメッセージは文字メッセージであることを特徴とする、請求項１または請求項２のいずれか一項に記載のアプリケーションをダウンロードする方法。
【請求項４】
前記モバイル機器にアプリケーションをダウンロードするためのメッセージにはＵＲＬを含むことを特徴とする、請求項１または請求項２のいずれか一項に記載のアプリケーションをダウンロードする方法。
【請求項５】
前記モバイル機器にアプリケーションをダウンロードするためのメッセージは音声案内を含むことを特徴とする、請求項１または請求項２のいずれか一項に記載のアプリケーションをダウンロードする方法。
【請求項６】
前記モバイル機器にアプリケーションをダウンロードするためのメッセージはモバイルインスタントメッセージであることを特徴とする、請求項１または請求項２のいずれか一項に記載のアプリケーションをダウンロードする方法。
【請求項７】
前記アプリケーションサーバでは、前記アプリケーションが既にインストールされていて前記アプリケーションのダウンロードが必要ではないと判断されれば、前記モバイル機器で前記アプリケーションが実行されるようにすることを特徴とする、請求項１または請求項２のいずれか一項に記載のアプリケーションをダウンロードする方法。
【請求項８】
前記モバイル機器にダウンロードしようとする少なくとも１つの前記アプリケーションを選択することをさらに含む、請求項１または請求項２のいずれか一項に記載のアプリケーションをダウンロードする方法。
【請求項９】
前記アプリケーションを選択するときは、
前記メッセージの送信前または前記メッセージの送信後に前記アプリケーションを選択することを特徴とする、請求項８に記載のアプリケーションをダウンロードする方法。
【請求項１０】
前記メッセージに対する前記ユーザジェスチャが感知されれば、前記モバイル機器のタイプを判断することをさらに含み、
前記モバイル機器に前記アプリケーションをダウンロードすることは、
前記モバイル機器のタイプに対応するアプリケーションがダウンロードされるように前記モバイル機器のアクセスをリダイレクトすることを特徴とする、請求項１または請求項２のいずれか一項に記載のアプリケーションをダウンロードする方法。
【請求項１１】
モバイル機器から予め設定された着信番号への発信及び前記モバイル機器の発信番号を感知する感知部、
前記着信番号への発信が感知されれば直ぐに、前記発信番号により特定された前記モバイル機器にアプリケーションをダウンロードするためのメッセージを送信するメッセージ送信部、
前記メッセージに対するユーザジェスチャに応答し前記アプリケーションが格納されたアプリケーションサーバから前記モバイル機器に前記アプリケーションをダウンロードするダウンロード実行部
を含み、
前記発信が感知されたときは回線が接続される前であることを特徴とする、アプリケーションをダウンロードするシステム。
【請求項１２】
モバイル機器から予め設定された着信番号への発信及び前記モバイル機器の発信番号を感知する感知部、
前記着信番号への発信が感知されれば直ぐに、前記発信番号により特定された前記モバイル機器にアプリケーションをダウンロードするためのメッセージを送信するメッセージ送信部、
前記メッセージに対するユーザジェスチャに応答し前記アプリケーションが格納されたアプリケーションサーバから前記モバイル機器に前記アプリケーションをダウンロードするダウンロード実行部
を含み、
前記発信が感知されたときは回線が接続される前であり、
前記着信番号に複数のアプリケーションがマッチングされていたり、特定のアプリケーションがマッチングされていない場合には、ダウンロードが可能なアプリケーションのリストをユーザに提供し、前記ユーザからダウンロードするアプリケーションの選択を受けることを特徴とする、アプリケーションをダウンロードするシステム。
【請求項１３】
モバイル機器から予め設定された着信番号への発信を感知し、前記着信番号への発信が感知されれば、アプリケーションをダウンロードするためのメッセージの送信を要請するサービスサーバ、
前記モバイル機器の発信番号を感知する前記サービスサーバの要請に応じて前記発信番号により特定された前記モバイル機器に前記アプリケーションをダウンロードするためのメッセージを送信するメッセージサーバ、および
前記アプリケーションを格納および保持し、前記サービスサーバの要請に応じて前記アプリケーションを前記モバイル機器にダウンロードするアプリケーションサーバを含み、 
前記発信が感知されたときは、回線が接続される前であり、
前記モバイル機器にアプリケーションをダウンロードするためのメッセージの送信は、前記発信が感知されれば直ぐに送信し、
前記サービスサーバは、
前記メッセージに対するユーザジェスチャに応答して前記アプリケーションサーバに前記アプリケーションのダウンロードを要請すること
を特徴とする、アプリケーションをダウンロードするシステム。
【発明の詳細な説明】
【技術分野】
【０００１】
本発明の実施形態は、アプリケーションをより簡単にダウンロードしてインストールすることができるアプリケーションのダウンロード方法およびシステムに関する。
【背景技術】
【０００２】
スマートフォンでアプリケーション（ａｐｐｌｉｃａｔｉｏｎ）（以下、アプリ）をダウンロードするためには、１）グーグルプレイやアップストアなど、アプリを購買することができるアプリを実行させた後、２）ダウンロードしたいアプリを検索し、３）検索結果に含まれているアプリの中から自身が所望するアプリを選択した後、４）選択したアプリをダウンロードして自身のスマートフォンにインストールする。
【０００３】
しかし、このようなアプリのダウンロード方法は、所望するアプリをダウンロードして自身のスマートフォンにダウンロードするまでに複数の段階を経なければならない煩わしい方法であり、特に、年齢層が高い使用者はアプリのインストール自体に困難を感じるようになり、アプリの使用を阻害するまでに至る。このような問題は、アプリを提供してアプリの普及率を高めようとするアプリ提供者の立場においては、大きな障害になると言わざるを得ない。
【０００４】
従来、このような問題点を解決するために、上述した過程の１）、２）及び３）の各段階を減らそうとする試みがあった。これらの各段階を経ずに直ぐに４）の段階を実行することができるように、マーケットの該当アプリのインストール画面のＵＲＬを提供する方法がその試みの１つである。しかし、ＵＲＬをアドレスバーに入力することによってマーケットの該当アプリのインストール画面に直ぐに移動することはできるが、ＵＲＬを一文字ずつ直接入力しなければならないという問題がある。使用者によってはこれをより煩わしく思う場合があり、特に、時間が経過した後に使用者がそのＵＲＬを記憶していて所望するアプリをダウンロードすることはほぼ不可能に近いため、使用者の便宜性はさらに低下する可能性がある。
【０００５】
従来のさらに他の試みは、ＵＲＬ情報を含んでいるＱＲコード（登録商標）を提供してＵＲＬにすぐに接続できるようにするものである。しかし、ＱＲコード（登録商標）を実行するためには、ＱＲコード（登録商標）を読み取ることができるアプリを実行させた後にＱＲコード（登録商標）の写真を撮り、この写真が含んでいる情報を認識する段階を追加で経なければならない。言い換えれば、ＱＲコード（登録商標）を認識することができる程度の写真を撮ることも、使用者によっては大きな不便と思う場合もある。
【発明の概要】
【発明が解決しようとする課題】
【０００６】
本発明は、このような問題点を解決し、使用者の便利性を確保することができるアプリケーションのダウンロード方法およびシステムを提供する。
【０００７】
より詳細には、本発明では、アプリをダウンロードすることができるＵＲＬを直接入力したり、他のアプリを実行しなければならない煩わしさがなく、使用者が既に馴染みのある電話を利用して所望するアプリを自動でダウンロードすることができるように誘導する方法およびシステムを提供する。
【課題を解決するための手段】
【０００８】
アプリケーションをダウンロードする方法は、モバイル機器から予め設定された着信番号への発信を感知すること、前記発信が感知されれば、前記モバイル機器にアプリケーションをダウンロードするためのメッセージを送信すること、前記メッセージに対するユーザジェスチャに応答し、前記アプリケーションが格納されたアプリケーションサーバから前記モバイル機器に前記アプリケーションをダウンロードすることを含んでもよい。
【０００９】
本発明の一実施形態によれば、前記モバイル機器にアプリケーションをダウンロードするためのメッセージは、前記発信が感知されれば直ぐに送信するか、前記モバイル機器に前記着信番号の通話接続音が送信されている間に送信するか、前記モバイル機器と通話が接続されている間に送信するか、または前記モバイル機器との通話が終了した後に送信のうちのいずれか１つであってもよい。
【００１０】
本発明の一実施形態によれば、前記モバイル機器にアプリケーションをダウンロードするためのメッセージは、文字メッセージであってもよい。
【００１１】
本発明の一実施形態によれば、前記モバイル機器にアプリケーションをダウンロードするためのメッセージには、ＵＲＬを含んでもよい。
【００１２】
本発明の一実施形態によれば、前記モバイル機器にアプリケーションをダウンロードするためのメッセージには、音声案内を含んでもよい。
【００１３】
本発明の一実施形態によれば、前記モバイル機器にアプリケーションをダウンロードするためのメッセージは、モバイルインスタントメッセージであってもよい。
【００１４】
本発明の一実施形態によれば、前記アプリケーションサーバでは前記アプリケーションが既にインストールされているために前記アプリケーションのダウンロードが必要ではないと判断されれば、前記モバイル機器で前記アプリケーションが実行されるようにしてもよい。
【００１５】
本発明の一実施形態によれば、アプリケーションをダウンロードする方法は、前記着信番号と複数の電話番号とを比較すること、および前記着信番号に基づいて複数のアプリケーションのうちから少なくとも１つを選択することをさらに含んでもよい。
【００１６】
本発明の一実施形態によれば、前記モバイル機器にダウンロードしようとする少なくとも１つの前記アプリケーションを選択することをさらに含んでもよい。
【００１７】
本発明の一実施形態によれば、前記アプリケーションを選択するときは、前記メッセージの送信前または前記メッセージの送信後に前記アプリケーションを選択してもよい。
【００１８】
本発明の一実施形態によれば、アプリケーションをダウンロードする方法は、前記メッセージに対する前記ユーザジェスチャが感知されれば、前記モバイル機器のタイプを判断することをさらに含んでもよく、前記モバイル機器に前記アプリケーションをダウンロードしようとするときは、前記モバイル機器のタイプに対応するアプリケーションがダウンロードされるように前記モバイル機器のアクセスをリダイレクトしてもよい。
【００１９】
アプリケーションをダウンロードするシステムは、モバイル機器から予め設定された着信番号への発信を感知する感知部、前記発信が感知されれば、前記モバイル機器にアプリケーションをダウンロードするためのメッセージを送信するメッセージ送信部、前記メッセージに対するユーザジェスチャに応答し、前記アプリケーションが格納されたアプリケーションサーバから前記モバイル機器に前記アプリケーションをダウンロードするダウンロード実行部を含んでもよい。
【００２０】
アプリケーションをダウンロードするシステムは、モバイル機器から予め設定された着信番号への発信を感知し、前記発信が感知されれば、アプリケーションをダウンロードするためのメッセージの送信を要請するサービスサーバ、前記サービスサーバの要請に応じて前記モバイル機器に前記アプリケーションをダウンロードするためのメッセージを送信するメッセージサーバ、および前記アプリケーションを格納および保持し、前記サービスサーバの要請に応じて前記アプリケーションを前記モバイル機器にダウンロードさせるアプリケーションサーバを含んでもよい。このとき、前記サービスサーバは、前記メッセージに対するユーザジェスチャに応答して前記アプリケーションサーバに前記アプリケーションのダウンロードを要請してもよい。
【発明の効果】
【００２１】
本発明の実施形態によれば、使用者に既に馴染みのある電話を利用して所望するアプリケーションを自動でダウンロードすることにより、より簡単かつ容易にアプリケーションをダウンロードすることができる。
【図面の簡単な説明】
【００２２】
【図１】本発明の一実施形態において、モバイル機器、サービスサーバ、メッセージサーバ、アプリケーションサーバの関係を概括的に示した図である。
【図２】本発明の一実施形態において、電話を利用してアプリケーションのダウンロードを容易に誘導するサービス方法を示したフローチャートである。
【図３】本発明の一実施形態において、電話を利用してアプリケーションのダウンロードを容易に誘導するサービスサーバの内部構成を示したブロック図である。
【発明を実施するための形態】
【００２３】
以下、本発明の実施形態について、添付の図面を参照しながら詳細に説明する。
【００２４】
本実施形態は、アプリケーションをより簡単にダウンロードしてインストールすることができる方法とシステムに関する。
【００２５】
図１は、本発明の一実施形態において、モバイル機器、サービスサーバ、メッセージサーバ、アプリケーションサーバの関係を概括的に示した図である。図１は、モバイル機器１００、サービスサーバ２００、メッセージサーバ３００、アプリケーションサーバ４００を示している。図１に示す矢印は、構成間で有線または無線ネットワークを利用してデータが送受信されることを意味する。
【００２６】
モバイル機器１００は、スマートフォン（ｓｍａｒｔ  ｐｈｏｎｅ）、タブレット（ｔａｂｌｅｔ）、ノート型パソコン（ｌａｐｔｏｐ  ｃｏｍｐｕｔｅｒ）、デジタル放送用端末機、ＰＭＰ（Ｐｏｒｔａｂｌｅ  Ｍｕｌｔｉｍｅｄｉａ  Ｐｌａｙｅｒ）、ナビゲーション（ｎａｖｉｇａｔｉｏｎ）などの端末装置であって、アプリケーションのインストールおよび実行が可能であり、回線またはインターネットなどを通じた電話機能をもつ、すべての端末装置を意味してもよい。
【００２７】
サービスサーバ２００は、電話を利用してアプリケーションのダウンロードを誘導することができるサービスプラットフォームの役割をする。本明細書において、「アプリケーション（ａｐｐｌｉｃａｔｉｏｎ）」とは、モバイル機器１００に搭載することができるすべてのアプリケーションを包括して意味してもよい。一例として、サービスサーバ２００は、体成分分析器、体脂肪測定器、血圧計、体重計などのヘルスケア装置、またはユビキタスヘルス（Ｕ−ｈｅａｌｔｈ：ｕｂｉｑｕｉｔｏｕｓ  ｈｅａｌｔｈ）基盤のサービスと関連するアプリケーションがモバイル機器１００にダウンロードされるように誘導してもよい。
【００２８】
メッセージサーバ３００は、サービスサーバ２００の要請に応じ、モバイル機器１００にアプリケーションのダウンロードを誘導するためのメッセージを送信してもよい。このとき、メッセージサーバ３００は、ＳＭＳ（ｓｈｏｒｔ  ｍｅｓｓａｇｅ  ｓｅｒｖｉｃｅ）、ＭＭＳ（ｍｕｌｔｉ−ｍｅｄｉａ  ｍｅｓｓａｇｅ  ｓｅｒｖｉｃｅ）、音声案内サービス（例えば、ＡＲＳ）、インスタントメッセンジャ（ｉｎｓｔａｎｔ  ｍｅｓｓｅｎｇｅｒ）のうちの少なくとも１つのサービスプラットフォームで実現されてもよい。
【００２９】
アプリケーションサーバ４００は、モバイル機器１００に搭載可能なアプリケーションを格納および保持するデータベースシステムであって、開発者と使用者との間でアプリケーションを自由に登録してダウンロードすることができるオンライン上のマーケットプレースを意味してもよい。本実施形態において、アプリケーションサーバ４００は、サービスサーバ２００の要請に応じ、使用者が電話を通じて要請した特定のアプリケーションをモバイル機器１００にダウンロードしてインストールしてもよい。
【００３０】
図２を参照しながら、本発明に係るアプリケーションのダウンロードシステムの動作について詳しく説明する。
【００３１】
図２は、本発明の一実施形態において、電話を利用してアプリケーションのダウンロードを容易に誘導するサービス方法を示したフローチャートである。
【００３２】
まず、サービスサーバ２００は、アプリケーションサーバ４００に登録されたアプリケーションに対して特定の電話番号を設定してもよく、各アプリケーションに対して予め設定された電話番号を事前に多くの媒体を通じて配布あるいは案内してもよい。一例として、サービスサーバ２００は、アプリケーション別に電話番号を一対一でマッチングさせて設定してもよく、１つの電話番号に複数のアプリケーションをマッチングさせてもよい。例えば、サービスサーバ２００は、ヘルスケア装置によって測定された使用者のヘルス情報や使用者によって入力された個人情報を格納および管理してもよく、モバイル機器を利用して使用者のヘルス情報や個人情報を処理するためのヘルスケアアプリケーションに対して特定の電話番号をマッチングさせて設定してもよい。
【００３３】
使用者は、モバイル機器１００を通じて自身が所望するアプリケーションと関連する特定の着信番号への発信を試みてもよく、これにより、サービスサーバ２００は、モバイル機器１００から特定の着信番号への音声通話のための発信を感知してもよい（Ｓ１）。
【００３４】
サービスサーバ２００は、モバイル機器１００から特定の着信番号への音声通話のための発信が感知されれば、モバイル機器１００にアプリケーションのダウンロードを誘導するためのメッセージの送信をメッセージサーバ３００に要請してもよい（Ｓ２）。一例として、サービスサーバ２００は、発信番号の確認手順を経てモバイル機器１００の電話番号を識別した後、モバイル機器１００の電話番号と共にメッセージ送信要請信号をメッセージサーバ３００に送信してもよい。このとき、サービスサーバ２００は、モバイル機器１００に送信しようとするメッセージ本文の内容をメッセージサーバ３００に送信してもよい。メッセージ本文の内容には、モバイル機器１００から電話をかけた着信番号にマッチングするアプリケーションの関連情報、例えば、アプリケーションのタイトルや説明、ＡＲＳ接続番号、アプリケーションをダウンロードすることができるＵＲＬアドレスなどが含まれてもよい。
【００３５】
メッセージサーバ３００は、サービスサーバ２００のメッセージ送信要請信号に応じて特定のアプリケーションのダウンロードを誘導するためのメッセージを作成した後、モバイル機器１００に送信してもよい（Ｓ３）。一例として、メッセージサーバ３００は、メッセージ本文の内容をＳＭＳやＭＭＳで作成して送信してもよい。他の例として、メッセージサーバ３００は、アプリケーションをダウンロードすることができるＵＲＬアドレスが含まれたメッセージを作成して送信してもよい。さらに他の例として、メッセージサーバ３００は、メッセージ本文内容を音声案内メッセージ形態で作成したり、ＡＲＳ接続番号が含まれたメッセージを作成して送信してもよい。さらに他の例として、メッセージサーバ３００は、メッセンジャプラットフォームを通じてメッセージ本文の内容をモバイルインスタントメッセージで送信してもよい。言い換えれば、メッセージサーバ３００は、モバイル機器１００から再び電話がかかってくるようにするコールバックサービス（ｃａｌｌｂａｃｋ  ｓｅｒｖｉｃｅ）、メッセージに対する応答を再びＳＭＳで受けるＭＯ（ｍｅｓｓａｇｅ  ｏｒｉｅｎｔｅｄ）サービス、音声案内を接続するためのＡＲＳサービス、インスタントメッセンジャサービスなどを利用して多様な形態のメッセージ作成が可能である。
【００３６】
アプリケーションのダウンロードを誘導するためのメッセージは、モバイル機器１００から発信が感知された時点以降から通話接続が維持される間のいずれか一時点に送信されるように実現されてもよい。一例として、モバイル機器１００から発信が感知された時点の直後、モバイル機器１００に着信番号に対する通話接続音が送信されている間、モバイル機器１００との通話が接続された直後、モバイル機器１００との通話接続が維持されている間、モバイル機器１００との通話が終了した直後のうちのいずれか一時点に、モバイル機器１００にメッセージが送信されてもよい。
【００３７】
使用者は、モバイル機器１００上で受信したメッセージを確認した後、特定のアプリケーションのダウンロードを要請するジェスチャ（例えば、メッセージの返信を送信したり、音声案内にしたがって特定のメニューを選択するなど）を取ってもよく、これにより、サービスサーバ２００は、モバイル機器１００を通じてメッセージに対するユーザジェスチャを認識してもよい（Ｓ４）。
【００３８】
サービスサーバ２００は、メッセージに対するユーザジェスチャに応答し、特定のアプリケーションがモバイル機器１００にダウンロードされるようにアプリケーションサーバ４００に要請してもよい（Ｓ５）。これにより、アプリケーションサーバ４００は、サービスサーバ２００の要請に応じ、使用者によって特定されたアプリケーションをモバイル機器１００に送信してもよい（Ｓ６）。
【００３９】
一例として、サービスサーバ２００は、モバイル機器１００から電話をかけた着信番号に基づいて複数のアプリケーションのうちから少なくとも１つのアプリケーションを選択し、そのアプリケーションのダウンロードを要請してもよい。このとき、サービスサーバ２００は、複数のアプリケーションとマッチングしている複数の電話番号とモバイル機器１００から電話をかけた着信番号とを比較し、複数のアプリケーションのうちから該当の着信番号に対応するアプリケーションを選択してもよい。
【００４０】
他の例として、サービスサーバ２００は、１つの電話番号に複数のアプリケーションがマッチングされていたり、アプリケーションが特定されていない場合に、使用者からダウンロードしようとするアプリケーションの種類の選択を直接受けてもよい。例えば、サービスサーバ２００は、電話通話またはメッセージを通じてダウンロードが可能なアプリケーションのリストを使用者に提供してもよく、これにより、使用者は所望するアプリケーションを選択してもよい。このとき、ダウンロードしようとするアプリケーションの種類を選択する過程は、メッセージ送信以前に行われてもよく、あるいはメッセージ送信以後に行われてもよい。
【００４１】
さらに、サービスサーバ２００は、メッセージに対するユーザジェスチャが感知されれば、モバイル機器１００のタイプ（例えば、ＯＳ種類）を判断した後、モバイル機器１００のタイプに対応するアプリケーションがダウンロードされるようにモバイル機器のアクセス（ａｃｃｅｓｓ）をリダイレクト（ｒｅｄｉｒｅｃｔ）してもよい。このとき、サービスサーバ２００は、モバイル機器のタイプに対応するアプリケーションを提供することができるアプリケーションサーバ４００にダウンロードを要請したり、アプリケーションサーバ４００でサービスサーバ２００の要請に応じてモバイル機器１００のタイプを区分し、モバイル機器１００にインストールが可能なアプリケーションとして提供してもよい。
【００４２】
一方、アプリケーションサーバ４００では、モバイル機器１００から電話をかけた着信番号を通じて選択されたり、使用者によって直接選択されたアプリケーションが、モバイル機器１００上に既にインストールされていてダウンロードが必要ではないと判断されれば、モバイル機器１００で該当のアプリケーションが実行されるように制御してもよい。このとき、アプリケーションサーバ４００は、モバイル機器１００にインストールされたアプリケーションリストを確認してもよく、使用者がダウンロードを要請したアプリケーションが既にインストールされていれば、ダウンロードを行なわず、使用者が確認可能なようにモバイル機器１００上で該当のアプリケーションを実行してもよい。
【００４３】
したがって、本実施形態では、電話を利用してアプリケーションをダウンロードしてインストールすることができる。
【００４４】
図３は、本発明の一実施形態において、電話を利用してアプリケーションのダウンロードを容易に誘導するアプリケーションダウンロードシステムの内部構成を示したブロック図である。一実施形態に係るアプリケーションダウンロードシステム２００は、図１と図２を参照しながら説明したサービスサーバ上に実現されるものであって、図３に示すように、感知部２１０、メッセージ送信部２２０、ダウンロード実行部２３０を含んで構成されてもよい。
【００４５】
感知部２１０は、モバイル機器から予め設定された着信番号への発信を感知してもよい。言い換えれば、使用者自身が所望するアプリケーションと関連する特定の電話番号に電話をかけた場合、その電話番号を所有しているサービスサーバ側の感知部２１０では、モバイル機器からの着信を感知してもよい。
【００４６】
メッセージ送信部２２０は、モバイル機器から特定の着信番号への発信が感知されれば、モバイル機器にアプリケーションのダウンロードを誘導するためのメッセージ送信をメッセージサーバに要請してもよい。このとき、メッセージ送信部２２０は、メッセージ送信要請信号と共に、モバイル機器の電話番号およびメッセージ本文の内容をメッセージサーバに送信してもよい。特に、メッセージ送信部２２０は、モバイル機器から発信が感知された時点の直後、モバイル機器に着信番号に対する通話接続音が送信されている間、モバイル機器との通話が接続された直後、モバイル機器との通話接続が維持されている間、モバイル機器との通話が終了した直後のうちのいずれか一時点にモバイル機器へのメッセージ送信を要請してもよい。これにより、メッセージサーバでは、メッセージ本文の内容をＳＭＳやＭＭＳで作成したり、アプリケーションをダウンロードすることができるＵＲＬアドレスが含まれたメッセージを作成したり、メッセージ本文の内容を音声案内メッセージ形態で作成したり、ＡＲＳ接続番号が含まれたメッセージを作成したり、メッセージ本文内容をメッセンジャプラットフォームを通じたモバイルインスタントメッセージで送信してもよい。
【００４７】
使用者は、モバイル機器上で受信したメッセージを確認した後、特定のアプリケーションのダウンロードを要請するジェスチャ（例えば、メッセージの返信を送信したり、音声案内にしたがって特定のメニューを選択するなど）を取ってもよく、これにより、サービスサーバ側の感知部２１０では、アプリケーションのダウンロードを誘導するためのメッセージに対するユーザジェスチャを認識してもよい。
【００４８】
ダウンロード実行部２３０は、メッセージに対するユーザジェスチャに応答し、特定のアプリケーションがモバイル機器にダウンロードされるようにアプリケーションサーバに要請してもよい。一例として、ダウンロード実行部２３０は、モバイル機器から電話をかけた着信番号に基づいて複数のアプリケーションのうちから少なくとも１つのアプリケーションを選択し、そのアプリケーションのダウンロードを要請してもよい。このとき、ダウンロード実行部２３０は、複数のアプリケーションにマッチングする複数の電話番号とモバイル機器から電話をかけた着信番号とを比較し、複数のアプリケーションのうちからその着信番号に対応するアプリケーションを選択してもよい。他の例として、ダウンロード実行部２３０は、１つの電話番号に複数のアプリケーションがマッチングしていたり、アプリケーションが特定されていない場合に、電話通話またはメッセージを通じてダウンロードが可能なアプリケーションのリストを使用者に提供し、使用者からダウンロードしようとするアプリケーションの種類の選択を直接受けてもよい。このとき、ダウンロードしようとするアプリケーションの種類を選択する過程は、メッセージ送信以前に行われてもよく、あるいはメッセージ送信以後に行われてもよい。これにより、アプリケーションサーバでは、モバイル機器から電話をかけた着信番号を通じて選択されたり、使用者によって直接選択されたアプリケーションをモバイル機器にダウンロードしてインストールしてもよい。
【００４９】
また、ダウンロード実行部２３０は、メッセージに対するユーザジェスチャが感知されれば、モバイル機器のタイプ（例えば、ＯＳ種類）を判断した後、モバイル機器のタイプに対応するアプリケーションがダウンロードされるようにモバイル機器のアクセスをリダイレクトしてもよい。ダウンロード実行部２３０は、モバイル機器のタイプに対応するアプリケーションを提供することができるアプリケーションサーバにダウンロードを要請したり、アプリケーションサーバにてダウンロード実行部２３０で感知されたモバイル機器のタイプを区分し、モバイル機器にインストールが可能なアプリケーションとして提供してもよい。
【００５０】
このとき、アプリケーションサーバでは、モバイル機器から電話をかけた着信番号を通じて選択されたり、使用者によって直接選択されたアプリケーションがモバイル機器上に既にインストールされていてダウンロードが必要ではないと判断されれば、モバイル機器で該当のアプリケーションが実行されるように制御してもよい。このとき、アプリケーションサーバは、モバイル機器にインストールされたアプリケーションリストを確認してもよく、使用者がダウンロードを要請したアプリケーションが既にインストールされていれば、ダウンロードを行なわず、使用者が確認可能なようにモバイル機器上で該当のアプリケーションを実行してもよい。
【００５１】
上述したアプリケーションダウンロードシステムは、図１と図２を参照しながら説明した詳細内容に基づき、さらに短縮された構成要素または追加の構成要素を含んでもよい。また、２つ以上の構成要素が組み合わされてもよく、構成要素間の動作順序や位置が変更されてもよい。
【００５２】
モバイル機器は、中央処理装置（ＣＰＵ）、ビデオプロセッサ、オーディオプロセッサ、メモリ、補助記憶装置、ディスプレイ、オーディオ、通信インタフェース、およびユーザインタフェースを含んでもよい。使用者はタッチインタフェースまたはタッチペン、ハードキーボードなどを利用して特定の着信番号を入力してもよく、入力された着信番号はメモリまたは補助記憶装置に格納されてもよい。着信番号によって音声通話の発信が始まれば、通信インタフェースを通じて音声通話のためのコールがサービスサーバに伝達される。そして、メッセージサーバから送信されたアプリケーションのダウンロードのためのメッセージはモバイル機器のディスプレイに表示され、使用者がアプリケーションのダウンロードを試みる場合、アプリケーションはアプリケーションサーバからモバイル機器にダウンロードされる。
【００５３】
メッセージサーバ、サービスサーバ、アプリケーションサーバは汎用サーバで実現されてもよく、プロセッサ、メモリ、補助記憶装置、通信インタフェースを含んでもよい。
【００５４】
このように、本発明の実施形態によれば、使用者に既に馴染みのある電話を利用して所望するアプリケーションのダウンロードを誘導することにより、より簡単かつ容易にアプリケーションをダウンロードすることができる。
【００５５】
以上で説明された装置は、ハードウェア構成要素、ソフトウェア構成要素、および／またはハードウェア構成要素およびソフトウェア構成要素の組み合わせによって実現されてもよい。例えば、実施形態で説明された装置および構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＡ（ｆｉｅｌｄ  ｐｒｏｇｒａｍｍａｂｌｅ  ａｒｒａｙ）、ＰＬＵ（ｐｒｏｇｒａｍｍａｂｌｅ  ｌｏｇｉｃ  ｕｎｉｔ）、マイクロプロセッサ、または命令（ｉｎｓｔｒｕｃｔｉｏｎ）を実行して応答することができる他の装置のように、１つ以上の汎用コンピュータまたは特殊目的コンピュータを利用して実現されてもよい。処理装置は、運営体制（ＯＳ）および運営体制上で実行される１つ以上のソフトウェアアプリケーションを実行してもよい。また、処理装置は、ソフトウェアの実行に応答し、データをアクセス、保存、操作、処理、および生成してもよい。理解の便宜のために、処理装置は１つが使用されると説明される場合もあるが、該当する技術分野において通常の知識を有する者は、処理装置が複数の処理要素（ｐｒｏｃｅｓｓｉｎｇ  ｅｌｅｍｅｎｔ）および／または複数類型の処理要素を含んでもよいことが理解できるであろう。例えば、処理装置は、複数のプロセッサまたは１つのプロセッサおよび１つのコントローラを含んでもよい。また、並列プロセッサ（ｐａｒａｌｌｅｌ  ｐｒｏｃｅｓｓｏｒ）のような、他の処理構成（ｐｒｏｃｅｓｓｉｎｇ  ｃｏｎｆｉｇｕｒａｔｉｏｎ）も適用可能である。
【００５６】
ソフトウェアは、コンピュータプログラム（ｃｏｍｐｕｔｅｒ  ｐｒｏｇｒａｍ）、コード（ｃｏｄｅ）、命令（ｉｎｓｔｒｕｃｔｉｏｎ）、またはこれらのうちの１つ以上の組み合わせを含んでもよく、所望のとおりに動作するように処理装置を構成したり、独立的または結合的に（ｃｏｌｌｅｃｔｉｖｅｌｙ）処理装置を命令したりしてもよい。ソフトウェアおよび／またはデータは、処理装置によって解釈されたり処理装置に命令またはデータを提供したりするために、ある類型の機械、構成要素（ｃｏｍｐｏｎｅｎｔ）、物理的装置、仮想装置（ｖｉｒｔｕａｌ  ｅｑｕｉｐｍｅｎｔ）、コンピュータ記録媒体または装置、または送信される信号波（ｓｉｇｎａｌ  ｗａｖｅ）に永久的または一時的に具体化（ｅｍｂｏｄｙ）されてもよい。ソフトウェアは、ネットワークによって接続されたコンピュータシステム上に分散し、分散した方法によって格納されたり実行されたりしてもよい。ソフトウェアおよびデータは、１つ以上のコンピュータで読み取り可能な記録媒体に格納されてもよい。
【００５７】
実施形態に係る方法は、多様なコンピュータ手段によって実行が可能なプログラム命令形態で実現されてコンピュータで読み取り可能な媒体に記録されてもよい。コンピュータで読み取り可能な媒体は、プログラム命令、データファイル、データ構造などを単独または組み合わせて含んでもよい。媒体に記録されるプログラム命令は、実施形態のために特別に設計されて構成されたものであってもよく、コンピュータソフトウェア分野の当業者に公知な使用可能なものであってもよい。コンピュータで読み取り可能な記録媒体の例としては、ハードディスク、フロッピー（登録商標）ディスク、および磁気テープのような磁気媒体（ｍａｇｎｅｔｉｃ  ｍｅｄｉａ）、ＣＤ−ＲＯＭ、ＤＶＤのような光記録媒体（ｏｐｔｉｃａｌ  ｍｅｄｉａ）、フロプティカルディスク（ｆｌｏｐｔｉｃａｌ  ｄｉｓｋ）のような磁気−光媒体（ｍａｇｎｅｔｏ−ｏｐｔｉｃａｌ  ｍｅｄｉａ）、およびＲＯＭ、ＲＡＭ、フラッシュメモリなどのようなプログラム命令を格納して実行するように特別に構成されたハードウェア装置が含まれる。プログラム命令の例としては、コンパイラによって生成されるもののような機械語コードだけではなく、インタプリタなどを使用してコンピュータによって実行される高級言語コードを含む。上述したハードウェア装置は、実施形態の動作を実行するために１つ以上のソフトウェアモジュールとして作動するように構成されてもよく、その逆も同じである。
【００５８】
以上のように、実施形態を限定された実施形態と図面に基づいて説明したが、該当する技術分野において通常の知識を有する者であれば、上述した記載から多様な修正および変形が可能であることが理解できるであろう。例えば、説明された技術が説明された方法とは異なる順序で実行されたり、説明されたシステム、構造、装置、回路などの構成要素が説明された方法とは異なる形態で結合または組み合わされたり、他の構成要素または均等物によって対置されたり置換されたとしても、適切な結果を達成することができる。
【００５９】
したがって、異なる実施形態であっても、特許請求の範囲と均等なものであれば、添付される特許請求の範囲に属する。
【符号の説明】
【００６０】
１００：モバイル機器
２００：サービスサーバ
２１０：感知部
２２０：メッセージ送信部
２３０：ダウンロード実行部
３００：メッセージサーバ
４００：アプリケーションサーバ
【図１】
0006051173.tif 000002
【図２】
0006051173.tif 000003
【図３】
0006051173.tif 000004